(57)【要約】【課題】  本発明は入居者の退去に伴う室内壁の貼替えの際に生ずる多量のクロス廃材を一部ずつ袋詰めして一時保管と、廃棄に至る作業を効率化して、一連の費用の低廉化を促進することを課題とする。【解決手段】  本発明は、多量のクロス廃材を一部ずつ詰入れする廃棄袋であって、廃棄袋の袋口に設ける雌雄の開閉チャックを急速に挟み走り止めする急速走り止め器具を備え、袋詰め後に袋内エアーを吸引することにより袋詰めクロス廃材の容量を詰入れ時の３分の１以下に圧縮して手持ちによる運び個数を増大させることによりクロス廃材の輸送車への積載時間を短縮し且つ積載量を増大して袋詰めクロス廃材の一時保管から廃棄に至る経費の低廉化を促進して課題を解決する。【選択図】図４
2016141492.tif 000002
【特許請求の範囲】
【請求項１】
入居者の退去に伴う室内壁の貼替えの際に生ずる多量のクロス廃材を一部ずつ詰入れする廃棄袋であって、袋口に雌雄の開閉チャックを設け、該開閉チャックを急速に挟み走り止めする急速走り止め器具を用意し、袋詰め後に袋内エアーを吸引することにより袋詰めクロス廃材の容量を詰入れ時の３分の１以下に圧縮して袋詰めクロス廃材の手持ちによる運び個数を増大させることにより袋詰めクロス廃材の輸送車への積載時間を短縮し且つ積載量を増大して袋詰めクロス廃材の一時保管と廃棄に至る経費の低廉化を促進するようにしたことを特徴とする室内壁の貼替に伴うクロス廃材を圧縮袋詰めする廃棄袋装置。
【請求項２】
入居者の退去に伴う室内壁の貼替えの際に生ずる多量のクロス廃材を詰入れする廃棄袋であって、袋口の急速走り止め閉塞方法と、エアー吸引により袋詰めクロス廃材の容量を詰入れ時の３分の１以下に圧縮する圧縮方法とからなることを特徴とする室内壁の貼替に伴うクロス廃材を圧縮袋詰めする廃棄方法。
【発明の詳細な説明】
【技術分野】
【０００１】
この発明は、室内壁の貼替に伴うクロス廃材を圧縮袋詰めする廃棄袋装置およびその方法に関するものである。
【背景技術】
【０００２】
従来より広く知られている保存袋は布団を圧縮し収容するなど非消費材の圧縮保存用として活用されてきている。特開２０００−３３４８６０号公報は保存袋としてラミネートフィルム等で縦方向の一方に口部を有す有底袋体を形成する第１工程と袋口に合成樹脂製の開閉手段を熱融着等の方法により取着する第２工程とからなる圧縮保存袋の製造方法を記載している。
【先行技術文献】
【特許文献】
【０００３】
【特許文献１】特開２０００−３３４８６０号公報
【発明の概要】
【発明が解決しようとする課題】
【０００４】
しかしながら、上記公報は圧縮保存袋の製造方法の記載であって、入居者の退去に伴う室内壁の貼替の際に生ずる多量のクロス廃材の一部ずつの袋詰めとその容量を圧縮する記載に欠けているという課題がある。袋詰めクロス廃材を輸送車に積載して一時保管用のコンテナ等と廃棄処分場への輸送を効率化する記載も全く欠いているという課題がある。
【０００５】
多量のクロス廃材は現状では図４（ａ），図５（ａ）に示すようにゴミ袋に一部ずつ詰入れして袋口を縛るなどして閉塞して多数の詰込み廃棄袋を作り、数個ずつ手持ちして輸送車に積載してコンテナ等の一時保管どころに運び入れて、満杯になると廃棄場に輸送して処分しているが、クロス廃材を詰入れた廃棄袋は著しく嵩ばるために手持ちによる輸送車への運び積み個数は最大で４袋程度に限られることから、多数の廃棄袋の輸送車への運び積みに多くの時間を要し、しかも積み入れ個数も嵩ばることから少数に限られるために何回も往復輸送しなければならず、輸送回数を多にして労力負担を多大にして所要経費を高価にしているという課題がある。
【０００６】
また、袋口を手作業により縛るなどして閉じることで多数の袋詰めに時間と手間を要して不経済であるという課題がある。
【課題を解決するための手段】
【０００７】
本発明は、クロス廃材を一部ずつ詰入れする廃棄袋の袋口に雌雄のチャックを設け、これを急速走り止め器具を用いて素早く走り止め閉塞し、次いでエアー抜きして容量を袋詰め時の３分の１以下に圧縮して、コンパクト化することでクロス廃材を詰入れした廃棄袋の手持ち運び個数を従来の４個の限界から８個等に増大して輸送車への運び入れを速め、その量も増大させることができるようにして、一時保管と廃棄に至る経費を低廉化して課題を解決する。
【発明の効果】
【０００８】
本発明は、多数のクロス廃材を一部ずつ袋詰めした廃棄袋の容量をエアー吸引により袋詰め時の３分の１以下に圧縮することで、クロス廃材入りの廃棄袋の手持ち運び個数と輸送車一台当たりの積載量を格段に増大することができて、一時保管と廃棄に至る作業をスピード化して労力負担を減じ経費の低廉化を促進するという効果を生ずる。
【０００９】
急速走り止め器具により袋詰め廃棄袋の袋口を急速に閉塞することで、多量のクロス廃材の袋詰め作業を迅速にして能率を向上するという効果を生ずる。
【００１０】
袋詰め廃棄袋を袋詰め時の３分の１以下に圧縮することで輸送車は袋詰め廃棄袋を増量してコンテナ等の一時保管個所と廃棄処分場に輸送することができて、しかも輸送車は積載に当たって整理整頓がしやすく、従って運転視野が妨げられることをなくすことで安全性を向上するという効果を生ずる。
【００１１】
室内の壁貼替作業はクロス廃材入りの廃棄袋が３分の１以下に圧縮されることで、足場まといされずに進め得ることができるという効果を生ずる。
【００１２】
クロス廃材入りの廃棄袋を３分の１以下に圧縮することで、室内を含むすべての環境を美的に保持することができるという効果を生ずる。
【図面の簡単な説明】
【００１３】
【図１】本発明の廃棄袋と急速走り止め器具および吸引筒の１例を示す斜視図
【図２】同、（ａ）はクロス廃材を廃棄袋内に詰入れた状態を示す斜視図、（ｂ）は急速走り止め器具にて袋口を閉じて挿入した吸引筒にてエアーを吸引して圧縮しつつある状態を示す斜視図、（ｃ）は圧縮業を完了して袋口を完全に閉塞した状態を示す斜視図
【図３】（ａ）は閉塞前の袋口と急速走り止め器具を示す部分拡大側面図、（ｂ）は急速走り止め器具により袋口の開閉チャック間を急速走り止めしつつある状態を示す部分拡大平面図、（ｃ）は同、急速走り止め器具部分の部分拡大断面図
【図４】（ａ）は輸送車にゴミ袋を積み込みした状態を示す従来例、（ｂ）は同、本発明の積込み状態を示す背面図
【図５】（ａ）はコンテナにゴミ袋を一時保管した状態を示す従来例、（ｂ）は同、本発明の一時保管状態を示す斜視図
【図６】室内壁の貼替作業例を示す部分斜視図
【符号の説明】
【００１４】
１は廃棄袋
１ａは袋口
２ａ，２ｂは開閉チャック
３は急速走り止め器具
４はクロス廃材
４ａは新しいクロス
５は吸引筒
６は輸送車
７はコンテナ
【発明を実施するための最良の形態】
【００１５】
本発明は、入居者の退去に伴う室内壁の貼替えに際して生ずる大量のクロス廃材を一部ずつ詰入れする多数の廃棄袋において、袋口に雌雄の開閉チャックを設け、これを急速に挟み走り止めする急速走り止め器具にて急速閉じするようにし、エアー吸引により袋詰めクロス廃材を袋詰め時の３分の１以下に圧縮して手持ち運び個数を増大させて輸送車への運び入れを速め且つその量を増大することにより、コンテナ等による一時保管と廃棄に至る労力の負担を減じ所要経費の低廉化を促進するというクロス廃材を圧縮詰めする廃棄袋装置とその方法にある。
【実施例１】
【００１６】
図１乃至図３は本発明の第１実施例であって、多量のクロス廃材を一部ずつ詰入れする一定大きさの廃棄袋１の上端の袋口１ａに雌雄の開閉チャック２ａ，２ｂを取付け、この開閉チャック２ａ，２ｂの一端に挟みつけ、他端に向けて急速に走り移動して袋口１ａを密閉する手持ち形の急速走り止め器具３を用意する。
【００１７】
図６に示すように室内壁の貼替えに当って廃棄される多量のクロス廃材４は廃棄袋１に１袋当たり２５ｍ2分のクロス廃材４を詰込むことができる。
【００１８】
図２に示すようにクロス廃材４を袋詰めした廃棄袋１は袋口１ａを急速走り止め器具３により急速閉じして後、吸引筒５によりエアーを吸引して、廃棄袋１を袋詰め時の３分の１程度に圧縮する。なお、本発明は急速走り止め器具３を用いて袋口１ａを急速に閉塞するので、袋詰め作業は従来に較べて著しく速くなる。
なお廃棄袋１は吸引筒５を出し入れする蓋付きの吸引口を設けることがある。
【００１９】
クロス廃材４入りの廃棄袋１は、３分の１以下に圧縮することで従来の手持ち運び限度４個より多く（実例では６乃至８個）を一度に持ち運びすることができることになる。従って輸送車６への積込み時間は短くなり、図４（ｂ）に示すようにその量も増大することとなる。
【００２０】
輸送して一時保管しているコンテナ７が満杯になると一時保管していたクロス廃材入りの廃棄袋１は輸送車６に手持ち運び載せして廃棄処分場に輸送する。輸送車６は従来の数倍の量の廃棄袋１を余裕を持って積載することができ、廃棄場への輸送回数を少なくすることができることとなる。
【００２１】
遠近のいずれかの一時保管用のコンテナ７内も図５（ｂ）に示すようにクロス廃材入りの廃棄袋１を予定個数より多にしてなお余裕を作ることができて、足元を安全にするほか美化を促進する。特に輸送車６は廃棄袋１のコンパクト化によって後方視野が妨げられないようにすることができて、運転の安全性を向上して事故防止が図られることとなる。
【００２２】
このようにして多量のクロス廃材４は廃棄袋１への詰入れと急速閉じと一時保管から廃棄に至る作業を著しく速くしてその量を増大することにより所要費用を従来より格段に減縮することが可能となる。
【産業上の利用可能性】
【００２３】
本発明の廃棄袋は入居者の退去に伴う室内壁の貼替えの際に生ずる多量のクロス廃材を一部ずつ詰入れする廃棄袋を圧縮することで、一時保管から廃棄までの諸作業を簡素にして、所要費用を著しく軽減する性向を有して広く利用されるものである。
【図１】
2016141492.tif 000003
【図２】
2016141492.tif 000004
【図３】
2016141492.tif 000005
【図４】
2016141492.tif 000006
【図５】
2016141492.tif 000007
【図６】
2016141492.tif 000008